(57)【特許請求の範囲】
【請求項１】
第１のＬＡＮと第２のＬＡＮとの間に接続され、これらのＬＡＮ間で情報の中継処理を実行するＬＡＮ中継器において、
第１のＬＡＮから照合情報を受信する第１受信手段と、
第２のＬＡＮから照合情報を受信する第２受信手段と、
第１のＬＡＮから受信した照合情報と第２のＬＡＮから受信した照合情報とを比較し、その比較結果に応じて中継処理の継続と中止を制御する制御手段と
を有する
ことを特徴とするＬＡＮ中継器。
【請求項２】
前記制御手段は、第１のＬＡＮから受信した照合情報と第２のＬＡＮから受信した照合情報とが完全一致する場合は中継処理を継続し、一部でも一致しない場合は中継処理を中止する
ことを特徴とする請求項１に記載のＬＡＮ中継器。
【請求項３】
前記制御手段は、第１のＬＡＮから受信した照合情報と第２のＬＡＮから受信した照合情報との所定の一部箇所が一致する場合は中継処理を継続し、前記所定の一部箇所が一致しない場合は中継処理を中止する
ことを特徴とする請求項１に記載のＬＡＮ中継器。
【請求項４】
照合情報は、ＬＡＮに接続された機器にロードされているデータのバージョン情報である
ことを特徴とする請求項１、２または３に記載のＬＡＮ中継器。
【請求項５】
中継処理を中止したときは、各ＬＡＮに対して中継データの出力を中止することにより、各ＬＡＮに接続する論理部は受信データ異常と判断し安全値に置き換えて処理する
ことを特徴とする請求項１、２、３または４に記載のＬＡＮ中継器。
【請求項６】
中継処理を中止したときは、その原因情報を一方または双方のＬＡＮに送出する
ことを特徴とする請求項１、２、３、４または５に記載のＬＡＮ中継器。
【請求項７】
請求項１、２、３、４、５または６に記載のＬＡＮ中継器と、
第１のＬＡＮに接続され、前記ＬＡＮ中継器に対して照合情報を送信する第１機器と、
第２のＬＡＮに接続され、前記ＬＡＮ中継器に対して照合情報を送信する第２機器と
を有する
ことを特徴とするＬＡＮ中継システム。
【発明の詳細な説明】
【技術分野】
【０００１】
本発明は、ＬＡＮ間で情報の中継処理を行うＬＡＮ中継器およびＬＡＮ中継システムに係わり、特に、一方のＬＡＮに接続された機器と他方のＬＡＮに接続された機器とが整合して動作することを保障するための中継技術に関する。
【背景技術】
【０００２】
鉄道の駅構内では、信号機や転てつ機、標識などの現場機器を電子連動装置に接続し、これらを電子連動装置で連鎖させることによって列車の進路を安全かつ迅速に開通させるように信号装置を構成している。
【０００３】
近年、このような信号装置は、各種の装置をＬＡＮに接続して構成されるが、車両基地などでは信号装置も大規模になり、装置間で授受するデータ量も増加するので、１つのＬＡＮではデータ量が設計値の上限を超えることがある。そこで、場内を複数の区域に分割し、各区域にＬＡＮを設置し、これらのＬＡＮ間をフェールセーフなＬＡＮ中継器（特許文献１参照）で接続してシステム構成することが行われる。
【０００４】
たとえば、図５に示すように、車両基地を本線部と基地部とに区分けし、電子連動システムを、本線を担当する本線ＬＡＮ１１１と基地を担当する基地ＬＡＮ１２１とで構成し、本線ＬＡＮ１１１と基地ＬＡＮ１２１との間をＬＡＮ中継器１０１で中継するようにシステム構成する。列車は本線部と基地部との間を往来するので本線ＬＡＮ１１１と基地ＬＡＮ１２１との間で連鎖関係が発生し、必要な連動情報１１２、１２２はＬＡＮ中継器１０１を介して他方のＬＡＮに中継される。
【０００５】
このような連鎖関係が発生するため、本線ＬＡＮ１１１側の電子連動装置（連動論理部や連動監視部など）１１３にロードする連動データと基地ＬＡＮ側の電子連動装置１２３にロードする連動データとは常に整合している必要がある。そこで、一般的には、車両基地全体に対する１つの連動図表１０２から連動データ１０３を作成し、これをデータ作成ツール１０４で分割して本線ＬＡＮ側のローディングデータ（連動データ）１１４と基地ＬＡＮ側のローディングデータ（連動データ）１２４とを作成し、それぞれを各ＬＡＮの連動モニタ１１５、１２５からロードするという手順が採られる。
【０００６】
【特許文献１】特開２００１−３０８８９２号公報
【発明の開示】
【発明が解決しようとする課題】
【０００７】
連動図表を変更するなどの大規模な改修の場合には、上記のような手順で１つの連動図表を元に各ＬＡＮ用の連動データを作成することになるが、改修前の旧バージョンの連動データも存在するので、人為ミスなどによって各ＬＡＮの機器にロードするデータのバージョンが不一致になることを完全に回避することは難しい。
【０００８】
また、現場機器への出力の追加など、１つのＬＡＮの中でしか影響の出ない改修のためにすべてのＬＡＮのデータ変更を行うと、データ変更に伴う影響範囲が大きくなり、安全を保障するための確認作業が膨大になってしまうという問題もある。
【０００９】
本発明は、上記の問題を解決しようとするものであり、一方のＬＡＮ側の機器にロードされたデータと他方のＬＡＮ側の機器にロードされたデータとのバージョン不整合による動作異常を回避することのできるＬＡＮ中継器およびＬＡＮ中継システムを提供することを目的としている。
【課題を解決するための手段】
【００１０】
請求項１に係わる発明は、第１のＬＡＮ（２０）と第２のＬＡＮ（３０）との間に接続され、これらのＬＡＮ間で情報の中継処理を実行するＬＡＮ中継器において、
第１のＬＡＮ（２０）から照合情報を受信する第１受信手段（１１）と、
第２のＬＡＮ（３０）から照合情報を受信する第２受信手段（１３）と、
第１のＬＡＮ（２０）から受信した照合情報と第２のＬＡＮ（３０）から受信した照合情報とを比較し、その比較結果に応じて中継処理の継続と中止を制御する制御手段（１５）と
を有する
ことを特徴とするＬＡＮ中継器である。
【００１１】
上記発明によれば、双方のＬＡＮから照合情報を受信し、これらの比較結果に応じて中継処理の継続と中止が制御される。照合情報は、両者のＬＡＮで整合性を確認すべき事項に係わる情報ならばどのような情報でもかまわない。たとえば、各ＬＡＮの機器にロードされているデータやソフトウェアのバージョン情報、更新日時などの属性情報のほか、機器自体の管理番号などでもよい。照合情報は、中継するデータと独立な情報でも、中継するデータに付加されたものであってもよい。なお、照合情報は、各ＬＡＮに配置された特定の機器がＬＡＮ上に送出してもよいし、ＬＡＮに接続された各機器がそれぞれＬＡＮ上に送出するように構成してもよい。また、照合情報の比較は常時行ってもよいし、初期化時など特定の時期のみ行うようにしてもよい。
【００１２】
請求項２に係わる発明は、前記制御手段（１５）は、第１のＬＡＮ（２０）から受信した照合情報と第２のＬＡＮ（３０）から受信した照合情報とが完全一致する場合は中継処理を継続し、一部でも一致しない場合は中継処理を中止する
ことを特徴とする請求項１に記載のＬＡＮ中継器である。
【００１３】
上記発明によれば、照合情報が完全一致する場合にのみ中継処理が実行され、一部でも一致しない場合は中継処理が中止される。
【００１４】
請求項３に係わる発明は、前記制御手段（１５）は、第１のＬＡＮ（２０）から受信した照合情報と第２のＬＡＮ（３０）から受信した照合情報との所定の一部箇所が一致する場合は中継処理を継続し、前記所定の一部箇所が一致しない場合は中継処理を中止する
ことを特徴とする請求項１に記載のＬＡＮ中継器である。
【００１５】
上記発明によれば、照合情報の所定の一部箇所が一致する場合は中継処理を継続し、所定の一部箇所が一致しない場合は中継処理が中止される。たとえば、照合情報を複数桁で階層的に構成する場合に、下位桁が不一致でも上位桁が一致すれば中継処理を実行し、上位桁が不一致の場合には中継処理を中止するように構成することができ、中継処理の継続／中止を多様に制御することが可能になる。
【００１６】
請求項４に係わる発明は、照合情報は、ＬＡＮ（２０、３０）に接続された機器にロードされているデータのバージョン情報である
ことを特徴とする請求項１、２または３に記載のＬＡＮ中継器である。
【００１７】
上記発明によれば、双方のＬＡＮ（２０、３０）の機器にロードされているデータのバージョンが不整合の場合に、中継処理が中止される。
【００１８】
請求項５に係わる発明は、中継処理を中止したときは、各ＬＡＮ（２０、３０）に対して中継データの出力を中止することにより、各ＬＡＮ（２０、３０）に接続する論理部は受信データ異常と判断し安全値に置き換えて処理する
ことを特徴とする請求項１、２、３または４に記載のＬＡＮ中継器である。
【００１９】
上記発明によれば、バージョンなどの照合情報が不整合で中継処理が中止された場合には、受け側のＬＡＮに接続する論理部で安全値データに置き換えて処理する。これにより、中継処理が中止されても、各ＬＡＮ上の機器の動作が安全側に制御される。
【００２０】
請求項６に係わる発明は、中継処理を中止したときは、その原因情報を一方または双方のＬＡＮ（２０、３０）に送出する
ことを特徴とする請求項１、２、３、４または５に記載のＬＡＮ中継器である。
【００２１】
上記発明によれば、中継処理の中止原因が一方または双方のＬＡＮ（２０、３０）に通知され、適切迅速な対処が可能になる。原因情報をＬＡＮ（２０、３０）に送出するとは、ＬＡＮ（２０、３０）に接続された特定の機器に対して原因情報を送出するほか、すべての機器が受信可能に原因情報を送出してもよい。
【００２２】
請求項７に係わる発明は、請求項１、２、３、４、５または６に記載のＬＡＮ中継器（１０）と、
第１のＬＡＮ（２０）に接続され、前記ＬＡＮ中継器（１０）に対して照合情報を送信する第１機器（２１）と、
第２のＬＡＮ（３０）に接続され、前記ＬＡＮ中継器（１０）に対して照合情報を送信する第２機器（３１）と
を有する
ことを特徴とするＬＡＮ中継システムである。
【００２３】
上記発明によれば、照合情報を送信する第１機器（２１）を第１のＬＡＮ（２０）に接続し、照合情報を送信する第２機器（３１）を第２のＬＡＮ（３０）に接続しておき、ＬＡＮ中継器（１０）は、第１のＬＡＮ（２０）の第１機器（２１）から受信した照合情報と第２のＬＡＮ（３０）の第２機器（３１）から受信した照合情報とを比較して中継処理の継続と中止を制御する。照合情報を送信する第１機器（２１）と第２機器（３１）とを設けるので、各ＬＡＮ（２０、３０）に接続する他の機器は照合情報の送信機能を持つ必要はない。照合情報の送信は、たとえば、定期的に繰り返し行ってもよいし、初期化時のみ送信したり、ＬＡＮ中継器（１０）からの要求に応じて送信したりする構成でもよい。
【発明の効果】
【００２４】
本発明に係わるＬＡＮ中継器およびＬＡＮ中継システムによれば、双方のＬＡＮから照合情報を受信し、これら照合情報の比較結果に応じて中継処理の継続と中止を制御するので、各ＬＡＮの機器にロードされたデータのバージョンやその他照合すべき条件の不整合による動作異常を確実に回避して、システム全体としての整合した動作を保障することができる。
【００２５】
また、照合情報の完全一致を要するものでは、厳格な整合性が確保される。また、所定の一部箇所の一致／不一致で判断するものでは、中継処理の継続／中止を多様に制御することが可能になる。
【００２６】
中継処理を中止したとき各ＬＡＮに対して、機器の動作が安全側に制御される所定の安全データを送出するものでは、中継処理が中止されて他方のＬＡＮ側の情報を入手できない場合でも、各ＬＡＮ上の機器の動作が安全側に制御されて安全性が確保される。
【００２７】
中継中止の原因情報を一方または双方のＬＡＮに送出するものでは、その原因に応じた適切迅速な対処が可能になる。
【発明を実施するための最良の形態】
【００２８】
以下、図面に基づき本発明の実施の形態を説明する。
【００２９】
図１は、本実施の形態に係わるＬＡＮ中継器１０を含む電子連動システム２の構成を示している。電子連動システム２は、車両基地を本線と基地とに区分けし、本線を担当する本線ＬＡＮ２０と、基地を担当する基地ＬＡＮ３０と、これらのＬＡＮ間に接続されたＬＡＮ中継器１０とから構成される。本線ＬＡＮ２０には、本線用の連動論理部２１や連動監視部２２などの各種機器が接続されている。また、連動監視部２２には、ディスプレイ装置やキーボードなどを有する入出力端末としての連動モニタ２３が接続されている。同様に基地ＬＡＮ３０には、基地用の連動論理部３１や連動監視部３２などの各種機器が接続され、連動監視部３２には連動モニタ３３が接続されている。
【００３０】
連動論理部２１、３１は、各軌道回路における列車の在線情報や、信号機、転てつ機などの現場機器の状態情報を収集し、これらの情報と予めロードされている連動データとに基づいて連動論理を実行し、列車の進路を安全かつ迅速に確保するように転てつ機や信号機などを連鎖させて制御する機能を果たす装置である。連動監視部２２、３２は、構内を模擬的に表わした制御盤を備え、進路を設定したり、列車の在線位置や進路の鎖錠状態、信号の現示状態などを表示したりする装置である。
【００３１】
本線ＬＡＮ２０側の各機器２１、２２には連動モニタ２３を通じて連動データなどのデータがロードされる。本線ＬＡＮ２０側の各機器には同じバージョンのデータがロードされる。連動論理部２１は自装置にロードされているデータのバージョン情報（照合情報）を周期的に本線ＬＡＮ２０に送出する機能を果たす。同様に基地ＬＡＮ３０側の各機器３１、３２には連動モニタ３３を通じて連動データなどのデータがロードされ、基地ＬＡＮ３０側の各機器には同じバージョンのデータがロードされる。また、連動論理部３１は自装置にロードされているデータのバージョン情報（照合情報）を周期的に基地ＬＡＮ３０に送出する。なお、ロードされたデータのバージョンは、それぞれのＬＡＮ２０、３０の連動監視部２２、３２に接続された連動モニタ２３、３３で確認できるようになっている。
【００３２】
ＬＡＮ中継器１０は、本線ＬＡＮ２０と基地ＬＡＮ３０との間で連動情報などを中継処理する機能を果たす。たとえば、本線の所定箇所から基地内の所定箇所まで列車の進路を設定した場合には、その進路を確保するための連動情報（図中の本線連動情報４１）が本線ＬＡＮ２０の連動論理部２１からＬＡＮ中継器１０を経て基地ＬＡＮ３０の連動論理部３１へ伝送される。逆に基地から本線に列車を進行させる場合には、その進路を確保するための連動情報（図中の基地連動情報４２）が基地ＬＡＮ３０の連動論理部３１からＬＡＮ中継器１０を経て本線ＬＡＮ２０の連動論理部２１へ伝送されるようになっている。
【００３３】
また、ＬＡＮ中継器１０は、本線ＬＡＮ２０から受信したバージョン情報（照合情報）と基地ＬＡＮ３０から受信したバージョン情報（照合情報）とを比較し、整合する場合は中継処理を継続し、不整合の場合は中継処理を中止する機能を備えている。なお、本線ＬＡＮ２０、基地ＬＡＮ３０、ＬＡＮ中継器１０、連動論理部２１、３１、連動監視部２２、３２などは安全確保のためにすべて２重系で構成されている。
【００３４】
図２は、ＬＡＮ中継器１０の概略構成を示している。ＬＡＮ中継器１０は本線ＬＡＮ２０に接続される第１受信手段１１および第１送信手段１２と、基地ＬＡＮ３０に接続される第２受信手段１３および第２送信手段１４と、中継処理の継続／停止などを制御する制御手段１５とを備えている。
【００３５】
第１受信手段１１は本線ＬＡＮ２０を流れるデータを受信し、第１送信手段１２は本線ＬＡＮ２０にデータを送出する機能を果たす。第２受信手段１３は、基地ＬＡＮ３０を流れるデータを受信し、第２送信手段１４は基地ＬＡＮ３０にデータを送出する機能を果たす。制御手段１５は、第１受信手段１１や第２受信手段１３が受信したデータがバージョン情報（照合情報）であるか否かを判断し、バージョン情報（照合情報）の場合はそれを内部メモリに一時保存し、本線ＬＡＮ２０からのバージョン情報と基地ＬＡＮ３０からのバージョン情報とが揃った時点でこれらを比較してその整合性を検査する機能を果たす。
【００３６】
ここでは、検査レベルを２種類用意してある。１つは、バージョン情報（照合情報）が完全一致した場合にのみ整合していると判断して中継処理を実行し、一部でも相違する場合には不整合と判断して中継処理を中止する完全一致レベルである。もう１つは、バージョン情報（照合情報）の所定の一部箇所が一致する場合は整合すると判断して中継処理を実行し、所定の一部箇所が不一致の場合は不整合と判断して中継処理を中止する部分一致レベルである。本実施の形態では、バージョン情報（照合情報）は、整数部と小数部とを含む「Ｘ.Ｙ」の形式になっており、部分一致レベルは、小数部「Ｙ」の一致／不一致にかかわらず、整数部「Ｘ」が一致すれば中継処理を実行し、整数部「Ｘ」が不一致の場合は中継処理を中止するようになっている。
【００３７】
また、制御手段１５は、中継処理を中止したときは、各ＬＡＮ２０、３０に対して、連動論理部２１、３１などの機器の動作が安全側に制御される所定の安全データを送出する機能を備えている。各ＬＡＮ２０、３０を流れる情報は「０」または「１」で表わされると共に、「０」を安全側・故障側・意味なしを示す値に定めてある。そこで、ＬＡＮ中継器１０は、バージョン情報(照合情報)の不整合などで中継処理を中止した場合は、各論理部はＬＡＮから受信すべきデータを「０」に置き換えて処理する。
【００３８】
さらに制御手段１５は、中継処理を中止したときは、その原因情報を各ＬＡＮ２０、３０に送出するように構成されている。たとえば、バージョン情報(照合情報)の不整合で中継処理を中止した場合は、「中継処理を中止したこと」と、「その原因がバージョン情報の不整合にあること」と、「双方のバージョン情報」とを示す情報を各ＬＡＮ２０、３０に送出するようになっている。ここでは、ＬＡＮ中継器１０が送出した情報に基づいて、本線ＬＡＮ２０および基地ＬＡＮ３０の各連動監視部２２、３２の連動モニタ２３、３３に中継処理の中止原因が表示されるようになっている。
【００３９】
図３は、完全一致レベルでバージョン情報の整合性を検査する場合におけるＬＡＮ中継器１０の動作の一例を示している。連動データの改修前（ａ）は、本線ＬＡＮ２０側の連動論理部２１などの機器にロードされているデータのバージョンと、基地ＬＡＮ３０側の連動論理部３１などの機器にロードされているデータのバージョンとは共に「３.０」で完全一致しており、ＬＡＮ中継器１０は、中継処理を実行する。
【００４０】
上記改修前（ａ）の状態に対して、本線ＬＡＮ２０側の連動データのみを大改修（ｂ）してそのバージョンが「４.０」になると、本線ＬＡＮ２０側のデータのバージョン「４.０」と基地ＬＡＮ３０側のデータのバージョン「３.０」とは完全一致しなくなるので、ＬＡＮ中継器１０は中継処理を中止する。
【００４１】
また、上記改修前（ａ）の状態に対して本線ＬＡＮ２０側の連動データのみを小改修（ｃ）してそのバージョンが「３.１」に変わった場合も、本線ＬＡＮ２０側のデータのバージョン「３.１」と基地ＬＡＮ３０側のデータのバージョン「３.０」とは完全一致しないので、ＬＡＮ中継器１０は中継処理を中止する。このように完全一致レベルでバージョン情報の整合性を検査する場合には、一方のＬＡＮ側のデータのみに小改修を加えた場合であっても、本線ＬＡＮ２０と基地ＬＡＮ３０との双方のデータ更新が必要になる。したがって、小改修であっても、その小改修が他方のＬＡＮ側との連鎖関係に影響を及ぼすような場合には完全一致レベルでの検査が有効である。
【００４２】
図４は、部分一致レベルでバージョン情報の整合性を検査する場合におけるＬＡＮ中継器１０の動作の一例を示している。部分一致レベルでは、「Ｘ.Ｙ」形式のバージョン情報のうち、小数部「Ｙ」の一致／不一致にかかわらず、整数部「Ｘ」が一致すれば中継処理を実行し、整数部「Ｘ」が不一致の場合は中継処理を中止するようになっている。すなわち、バージョン情報のうち整数部「Ｘ」は、本線ＬＡＮ２０と基地ＬＡＮ３０との双方に影響が及ぶような改修を行う場合に更新する桁部分で、小数部「Ｙ」は、改修による影響が一方のＬＡＮの範囲内のみに留まる改修を行った場合に更新される桁部分に定めてある。なお、整数部「Ｘ」を更新するときは、小数部「Ｙ」を「０」に更新するようになっている。
【００４３】
図４の改修前（ａ）の状態に対して、本線ＬＡＮ２０側の連動データのみを大改修（ｂ）すると、バージョン情報の整数部「Ｘ」が「４」に変更される。その結果、本線ＬＡＮ２０側のデータのバージョン「４.０」と基地ＬＡＮ３０側のデータのバージョン「３.０」とは整数部「Ｘ」のみで判断する部分一致レベルでも整合(一致)しなくなり、ＬＡＮ中継器１０は中継処理を中止する。
【００４４】
一方、改修前（ａ）の状態に対して本線ＬＡＮ２０側の連動データのみを小改修（ｃ）してそのバージョンが「３.１」に変わった場合は、本線ＬＡＮ２０側のデータのバージョン「３.１」と基地ＬＡＮ３０側のデータのバージョン「３.０」とは整数部では一致するのでＬＡＮ中継器１０は中継処理を継続実行する。部分一致レベルでの整合性チェックは、たとえば、現場機器への出力の追加など、一方のＬＡＮの中でしか影響の出ない改修を行う場合に有効であり、データ変更に伴う影響範囲が一方のＬＡＮ内に留まり、安全を保障するための確認作業が他方のＬＡＮに波及しないという利点がある。
【００４５】
なお、中継処理を中止したときは、ＬＡＮ中継器１０は各ＬＡＮ２０、３０に対してデータの中継を中止する。これにより、中継処理が中止されて他方のＬＡＮ側からの連動情報を入手できない場合でも、各ＬＡＮ上の機器の動作が安全側に制御されて、列車の安全が確保される。
【００４６】
また、中継処理を中止したときは、ＬＡＮ中継器１０はその原因情報を各ＬＡＮ２０、３０に送出する。これにより、各ＬＡＮ２０、３０の連動監視部２２、３２に接続された連動モニタ２３、３３などに、「中継処理の中止」と「その原因がバージョンの不整合にあること」と「双方のバージョン情報」とを含む警告表示が行われ、適切迅速な対処が可能になる。
【００４７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４８】
たとえば、実施の形態では、バージョン情報を照合情報としたが、他の情報を照合情報にしてもよい。また、照合情報の形式は実施の形態で例示したものに限定されず、文字や数字あるいは文字と数字の組み合わせなどで構成してもよい。また、部分一致レベルにおいて一致を確認する一部箇所は、整数部に限らず、任意の箇所に設定することができる。
【００４９】
実施の形態では、中継処理を中止したとき、その原因情報を双方のＬＡＮ２０、３０に送出したが、一方のＬＡＮのみでもよい。また、各ＬＡＮ２０、３０に接続されている特定の機器、たとえば、連動監視部２２、３２に対してのみ原因情報を送出してもよいし、すべての機器が受信可能に送出してもよい。
【００５０】
実施の形態では２つのＬＡＮ２０、３０の間をＬＡＮ中継器１０で接続する例を示したが、より多くのＬＡＮ間を複数のＬＡＮ中継器１０を用いて接続するようにシステム構成してもよく、ＬＡＮの数やＬＡＮ中継器１０の数は限定されない。
【００５１】
また、実施の形態では電子連動システムを例に説明したが、これに限定されず、本発明に係わるＬＡＮ中継器およびＬＡＮ中継システムは他のデータ処理システムに適用してもよい。
【図面の簡単な説明】
【００５２】
【図１】本発明の実施の形態に係わるＬＡＮ中継器を含む電子連動システムの構成を示す説明図である。
【図２】本発明の実施の形態に係わるＬＡＮ中継器の構成を示すブロック図である。
【図３】完全一致レベルでバージョン情報の整合性を検査する場合におけるＬＡＮ中継器の動作の一例を示す説明図である。
【図４】部分一致レベルでバージョン情報の整合性を検査する場合におけるＬＡＮ中継器の動作の一例を示す説明図である。
【図５】従来の複数ＬＡＮを用いた電子連動システムの構成と各機器にロードする連動データの作成手順とを示す説明図である。
【符号の説明】
【００５３】
２…電子連動システム
１０…ＬＡＮ中継器
１１…第１受信手段
１２…第１送信手段
１３…第２受信手段
１４…第２送信手段
１５…制御手段
２０…本線ＬＡＮ
２１…連動論理部
２２…連動監視部
２３…連動モニタ
３０…基地ＬＡＮ
３１…連動論理部
３２…連動監視部
３３…連動モニタ
【図１】
0004429261.tif 000002
【図２】
0004429261.tif 000003
【図３】
0004429261.tif 000004
【図４】
0004429261.tif 000005
【図５】
0004429261.tif 000006